(57)【特許請求の範囲】
【請求項１】
施設に関する広告情報を通知する情報通知装置であって、
前記施設に関する広告情報を取得する取得手段と、
前記取得手段が取得した前記広告情報に対応する施設（以下、「対象施設」という）を訪れていない期間が、前記施設ごとにまたは前記施設の種別ごとに予め設定された期間以上経過している場合に、前記対象施設に関する広告情報を通知する通知手段と、
を備えたことを特徴とする情報通知装置。
【請求項２】
前記通知手段は、前記対象施設を訪れていない期間が、前記施設ごとにまたは前記施設の種別ごとに予め設定された期間以上経過していない場合であっても、前記広告情報が更新されたものである場合、前記対象施設に関する広告情報を通知することを特徴とする請求項１に記載の情報通知装置。
【請求項３】
施設に関する広告情報を通知する情報通知装置に実行させる情報通知方法であって、
前記施設に関する広告情報を取得する取得工程と、
前記取得工程が取得した前記広告情報に対応する施設（以下、「対象施設」という）を訪れていない期間が、前記施設ごとにまたは前記施設の種別ごとに予め設定された期間以上経過している場合に、前記対象施設に関する広告情報を通知する通知工程と、
を含むことを特徴とする情報通知方法。
【請求項４】
請求項３に記載の情報通知方法をコンピュータに実行させることを特徴とする情報通知プログラム。
【請求項５】
請求項４に記載の情報通知プログラムを記録したことを特徴とするコンピュータに読み取り可能な記録媒体。
【発明の詳細な説明】
【技術分野】
【０００１】
この発明は、車両などの移動体に搭載される情報通知装置、情報通知方法、情報通知プログラム、および記録媒体に関する。
【背景技術】
【０００２】
近年、携帯電話装置や、車両などの移動体に搭載されるナビゲーション装置などの移動体端末では、外部のサーバと接続することにより、当該外部サーバから各種情報を受信し、受信した情報を、音声や表示により通知することがおこなわれている。外部サーバから受信する情報としては、施設の広告情報などもあり、当該広告情報を通知することもおこなわれている。
【０００３】
このような広告情報を利用者に通知するに際しては、たとえば、受信した広告情報に対応する施設の位置を予め記憶しておき、車両が当該施設の近傍に位置したときに、当該施設の広告情報を通知するようにした技術が提案されている（たとえば、下記特許文献１参照。）。
【先行技術文献】
【特許文献】
【０００４】
【特許文献１】特開２００２−４８５６４号公報
【発明の概要】
【発明が解決しようとする課題】
【０００５】
しかしながら、上述した特許文献１に記載の技術は、移動体が広告情報に対応する施設の近傍に位置するたびに、当該広告情報が通知されるので、利用者にとっては、通知される広告情報が不要な情報となるばかりでなく、広告主の印象が悪くなることさえあるといった問題が一例として挙げられる。
【課題を解決するための手段】
【０００６】
上述した課題を解決し、目的を達成するため、請求項１の発明にかかる情報通知装置は、施設に関する広告情報を通知する情報通知装置であって、前記施設に関する広告情報を取得する取得手段と、前記取得手段が取得した前記広告情報に対応する施設（以下、「対象施設」という）を訪れていない期間が、前記施設ごとにまたは前記施設の種別ごとに予め設定された期間以上経過している場合に、前記対象施設に関する広告情報を通知する通知手段と、を備えたことを特徴とする。
【０００７】
また、請求項３に記載の情報通知方法は、施設に関する広告情報を通知する情報通知装置に実行させる情報通知方法であって、前記施設に関する広告情報を取得する取得工程と、前記取得工程が取得した前記広告情報に対応する施設（以下、「対象施設」という）を訪れていない期間が、前記施設ごとにまたは前記施設の種別ごとに予め設定された期間以上経過している場合に、前記対象施設に関する広告情報を通知する通知工程と、を含むことを特徴とする。
【０００８】
また、請求項４に記載の情報通知プログラムは、請求項３に記載の情報通知方法をコンピュータに実行させることを特徴とする。
【０００９】
また、請求項５の発明にかかる記録媒体は、請求項４に記載の情報通知プログラムをコンピュータに読み取り可能に記録したことを特徴とする。
【図面の簡単な説明】
【００１０】
【図１】実施の形態にかかる情報通知装置の機能的構成の一例を示すブロック図である。
【図２】本実施の形態にかかる情報通知装置の情報通知処理手順の一例を示すフローチャートである。
【図３】本実施例にかかるナビゲーション装置のハードウェア構成の一例を示すブロック図である。
【図４】本実施例にかかるナビゲーション装置がおこなう情報通知処理の一例を示すフローチャートである。
【図５】本実施例にかかるナビゲーション装置がおこなう利用履歴情報の格納処理の一例を示すフローチャートである。
【図６】利用者が携行可能なナビゲーション装置がおこなう利用履歴情報の格納処理の一例を示すフローチャートである。
【図７】ディスプレイに表示される広告情報の一例を示す説明図である。
【発明を実施するための形態】
【００１１】
以下に添付図面を参照して、この発明にかかる情報通知装置、情報通知方法、情報通知プログラム、および記録媒体の好適な実施の形態を詳細に説明する。
【００１２】
（実施の形態）
（情報通知装置の機能的構成）
この発明の実施の形態にかかる情報通知装置１００の機能的構成について説明する。図１は、実施の形態にかかる情報通知装置１００の機能的構成の一例を示すブロック図である。
【００１３】
図１において、情報通知装置１００は、格納部１０１と、取得部１０２と、通知制御部１０３と、通知部１０４と、駐車検出部１０５と、格納制御部１０６と、滞在検出部１０７と、記録部１０８と、判別部１０９と、受付部１１０とを備えている。
【００１４】
格納部１０１は、施設の利用履歴情報を格納する。施設は、代表的には、系列店の施設が挙げられるが、個人商店、企業、団体などの施設であってもよい。利用履歴情報は、当該施設を利用したという履歴情報であり、利用者が到達したことがあるということを前提とする。
【００１５】
取得部１０２は、現在位置周辺の施設の広告情報を取得する。広告情報は、Ｗｅｂサイトなどのメディアを通じておこなう広告主の宣伝情報であり、動画、静止画などの視覚に訴えるものや、音声情報など聴覚に訴えるものなどである。取得部１０２による広告情報の取得方式は、外部サーバからリアルタイムに受信することにより取得してもよいし、図示外の記憶部に記憶した広告情報を、図示外の制御部の制御により、移動体（利用者自身を含む）の現在位置が施設から所定範囲内に位置したときに取得してもよい。
【００１６】
通知制御部１０３は、取得部１０２によって取得された施設の広告情報のうち、格納部１０１に当該施設の利用履歴情報がある場合に、取得した広告情報を除外する制御をおこなう。具体例を挙げると、通知制御部１０３は、利用者が過去に施設Ａを利用したことがある場合に、施設Ａの広告情報を通知させないように制御する。
【００１７】
通知部１０４は、通知制御部１０３による制御により広告情報を通知する。通知部１０４による通知方式は、表示画面による通知でもよいし、音声による通知でもよいし、表示画面および音声による通知でもよい。
【００１８】
また、本実施の形態において、駐車検出部１０５と、格納制御部１０６とは、任意の構成要素である。駐車検出部１０５は、情報通知装置を搭載した移動体の駐車を検出する。格納制御部１０６は、駐車検出部１０５によって駐車が検出された際に、駐車位置に関連付けられた施設を、利用した施設として格納部１０１に格納させる。駐車の検出方式は、施設にて移動体が停車したことを検出してもよいし、施設を利用したということをより確かなものとするためにエンジンの停止を検出してもよい。本構成は、移動体の駐車を施設の利用とみなし、当該施設の利用履歴情報として格納させるようにしたものである。
【００１９】
また、本実施の形態において、滞在検出部１０７は、任意の構成要素である。滞在検出部１０７は、利用者の施設での滞在を検出する。この場合、格納制御部１０６は、滞在検出部１０７によって利用者の滞在が検出された際に、当該滞在している施設を利用した施設として格納部１０１に格納させる。
【００２０】
本構成は、携帯電話装置などに内蔵される情報通知装置、または、移動体に搭載される情報通知装置のうち、利用者が持ち運びできるポータブル式の情報通知装置を対象とする。利用者の施設での滞在の検出方式としては、たとえば、情報通知装置のＧＰＳ機能などにより、現在位置が施設内に位置するか否かを検出するようにすればよい。本構成は、利用者の施設での滞在を施設の利用とみなし、当該施設の利用履歴情報として格納させるようにしたものである。
【００２１】
また、本実施の形態において、滞在検出部１０７は、利用者の施設での滞在時間が所定時間以上の場合に、滞在を検出するようにしてもよい。本構成は、施設での滞在時間を考慮することにより、利用者が施設を利用したということをより確実に検出することを可能にしたものである。
【００２２】
また、本実施の形態において、通知制御部１０３は、取得した広告情報のうち、格納部１０１に所定期間より前の利用履歴情報が格納されている場合に、取得した広告情報を通知させる制御をおこなうようにしてもよい。所定期間とは、利用者が当該施設をしばらく利用していないという期間であり、施設ごとに異なり、たとえば、コンビニエンスストアでは１週間といった期間とし、カーショップでは１ヶ月といった期間として予め任意の期間として設定される。本構成は、利用者が当該施設をしばらく利用していない場合に、当該施設の広告情報を除外対象とはしないようにしたものである。
【００２３】
また、本実施の形態において、記録部１０８と、判別部１０９とは、任意の構成要素である。記録部１０８は、通知制御部１０３によって除外された広告情報を記録する。判別部１０９は、取得部１０２によって取得された広告情報と、記録部１０８に記録された広告情報とを基に、取得した広告情報が更新されたものか否かを判別する。この場合、通知制御部１０３は、判別部１０９によって広告情報が更新されたものと判別された場合、取得した広告情報を通知させる制御をおこなう。
【００２４】
具体例を挙げると、利用履歴情報が存在する施設Ａの広告情報が除外されたとすると、施設Ａの広告情報が記録部１０８に記録される。そして、次回、取得した広告情報が施設Ａの広告情報であった場合、判別部１０９は、当該広告情報が更新されているか否かを判別する。具体的には、判別部１０９は、記録部１０８に記録されている広告情報と取得した広告情報とを比較し同一であるか否かを判別すればよい。判別部１０９によって更新されていると判別された場合に、具体的には比較結果が同一でないと判別された場合に、取得した広告情報を通知する。本構成は、広告情報が更新された場合、つまり、広告情報が新しい場合、除外対象とせずに、当該広告情報を通知させるようにしたものである。
【００２５】
また、本実施の形態において、受付部１１０は、任意の構成要素である。受付部１１０は、広告情報を除外する施設のジャンルの入力を受け付ける。この場合、通知制御部１０３は、受付部１１０が受け付けたジャンルに応じて、施設の広告情報を除外する制御をおこなう。本構成は、利用者が指定したジャンルの施設に対してのみ、当該施設の広告情報を除外させるようにしたものである。
【００２６】
ジャンルの入力を受け付けるタイミングは、任意であり、利用者によってメニュー画面から設定されるものとしてもよいし、広告情報を通知する際に、利用者に対して、広告情報を除外している旨の情報を通知するとともに、除外の解除やジャンルの選択を受け付ける制御をおこなって入力を受け付けるようにしてもよい。
【００２７】
また、本実施の形態において、広告情報は、代表的には、系列店の広告情報を対象とする。系列店は、具体的には、統一性を持った複数店舗の集合体であるチェーン店である。このようなチェーン店には、小売業や、飲食店（レストラン、居酒屋など）やホテルなどがある。
【００２８】
このように系列店の広告情報を、通知の除外対象とすることにより、ある支店を利用した場合には、同じ系列店の広告情報を全て除外することが可能となり、広告情報の除外を効果的におこなうことができる。特に、移動体の位置に対応させて広告情報を通知する場合、コンビニエンスストア等、道路沿いの系列店の広告情報が頻繁に通知される傾向にあるため、広告情報の除外対象としては、効果的である。
【００２９】
（情報通知装置の情報通知処理手順）
つぎに、図２を用いて、情報通知装置１００の情報通知処理手順について説明する。図２は、本実施の形態にかかる情報通知装置１００の情報通知処理手順の一例を示すフローチャートである。
【００３０】
図２のフローチャートにおいて、情報通知装置１００は、広告情報を取得したか否かを判断する（ステップＳ２０１）。ステップＳ２０１において、広告情報を取得するまで待機状態にある（ステップＳ２０１：Ｎｏのループ）。ステップＳ２０１において、広告情報を取得すると（ステップＳ２０１：Ｙｅｓ）、取得した広告情報に対応する施設の利用履歴情報があるか否かを判断する（ステップＳ２０２）。
【００３１】
ステップＳ２０２において、広告情報に対応する施設の利用履歴情報があると判断した場合（ステップＳ２０２：Ｙｅｓ）、取得した広告情報を除外する制御をおこない（ステップＳ２０３）、一連の処理を終了する。一方、ステップＳ２０２において、広告情報に対応する施設の利用履歴情報がないと判断した場合（ステップＳ２０２：Ｎｏ）、取得した広告情報を通知し（ステップＳ２０４）、一連の処理を終了する。
【００３２】
以上説明したように、本実施の形態にかかる情報通知装置１００は、取得した施設の広告情報のうち、格納部１０１に当該施設の利用履歴情報がある場合に、取得した広告情報を除外する制御をおこなうようにした。つまり、利用者が利用した施設の広告情報を通知しないようにした。これにより、利用者に対して、不要な情報を通知することがなく、煩わしさを与えることがない。
【００３３】
また、繰り返し広告情報が通知されることによって、広告主の印象が悪くなるといったことを防止できる。さらに、通知される広告情報は利用者が利用したことのない施設であるので、利用者にとって、通知される広告情報は新鮮なものとなり、広告情報の宣伝効果を高めることができる。
【実施例】
【００３４】
以下に、本発明の実施例について説明する。なお、以下の説明においては、車両に搭載されるナビゲーション装置によって、本発明の情報通知装置を実施した場合の一例について説明する。
【００３５】
（ナビゲーション装置のハードウェア構成）
図３を用いて、本実施例にかかるナビゲーション装置３００のハードウェア構成について説明する。図３は、本実施例にかかるナビゲーション装置３００のハードウェア構成の一例を示すブロック図である。
【００３６】
図３において、ナビゲーション装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、ＧＰＳユニット３１４と、各種センサ３１５と、を備えている。また、各構成部３０１〜３１５はバス３２０によってそれぞれ接続されている。
【００３７】
ＣＰＵ３０１は、ナビゲーション装置３００の全体の制御を司る。ＲＯＭ３０２は、ブートプログラム、現在地点算出プログラム、経路探索プログラム、経路誘導プログラム、情報通知プログラムなどの各種プログラムを記録している。また、ＲＡＭ３０３は、ＣＰＵ３０１のワークエリアとして使用される。
【００３８】
現在地点算出プログラムは、たとえば、後述するＧＰＳユニット３１４および各種センサ３１５の出力情報に基づいて、車両の現在地点（ナビゲーション装置３００の現在地点）を算出させる。
【００３９】
経路探索プログラムは、後述する磁気ディスク３０５に記録されている地図データなどを利用して、出発地点から目的地点までの最適な経路を探索させる。ここで、最適な経路とは、目的地点までの最短（または最速）経路やユーザが指定した条件に最も合致する経路などである。また、目的地点のみならず、立ち寄り地点や休憩地点までの経路を探索してもよい。探索された誘導経路は、ＣＰＵ３０１を介して音声Ｉ／Ｆ３０８や映像Ｉ／Ｆ３１１へ出力される。
【００４０】
経路誘導プログラムは、経路探索プログラムを実行することによって探索された誘導経路情報、現在地点算出プログラムを実行することによって算出された車両の現在地点情報、磁気ディスク３０５から読み出された地図データに基づいて、リアルタイムな経路誘導情報を生成させる。生成された経路誘導情報は、ＣＰＵ３０１を介して音声Ｉ／Ｆ３０８や映像Ｉ／Ｆ３１１へ出力される。
【００４１】
情報通知プログラムは、取得した施設の広告情報のうち、利用者の当該施設の利用履歴情報がある場合に、取得した広告情報を除外する制御をおこなう。制御された広告情報は、ＣＰＵ３０１を介して音声Ｉ／Ｆ３０８や映像Ｉ／Ｆ３１１へ出力される。
【００４２】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００４３】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱自在な記録媒体として、光ディスク３０７のほか、ＭＯ、メモリカードなどであってもよい。
【００４４】
音声Ｉ／Ｆ３０８は、スピーカ３０９に接続される。スピーカ３０９は、音声を出力する。
【００４５】
入力デバイス３１０は、文字、数値、各種指示などの入力のための複数のキーを備えたリモコン、キーボード、マウス、タッチパネルなどが挙げられる。入力デバイス３１０は、リモコン、キーボード、マウス、タッチパネルのうち、いずれか一つの形態によって実現されてもよいし、複数の形態によって実現されてもよい。
【００４６】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００４７】
ディスプレイ３１２には、アイコン、カーソル、メニュー、ウインドウ、あるいは文字や画像などの各種データが表示される。ディスプレイ３１２には、上述した地図データが２次元または３次元に描画される。ディスプレイ３１２に表示された地図データには、ナビゲーション装置３００を搭載した車両の現在地点をあらわすマークなどを重ねて表示することができる。車両の現在地点は、ＣＰＵ３０１によって算出される。
【００４８】
このディスプレイ３１２は、たとえば、ＣＲＴ、ＴＦＴ液晶ディスプレイ、プラズマディスプレイなどを採用することができる。ディスプレイ３１２は、たとえば、車両のダッシュボード付近に設置される。ディスプレイ３１２は、車両のダッシュボード付近のほか、車両の後部座席周辺などに設置するなどして、車両内に複数設置してもよい。
【００４９】
通信Ｉ／Ｆ３１３は、無線を介してネットワークに接続され、ナビゲーション装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００５０】
通信網には、ＬＡＮ、ＷＡＮ、公衆回線網や携帯電話網などがある。具体的には、通信Ｉ／Ｆ３１３は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路情報を取得する。なお、ＶＩＣＳは登録商標である。
【００５１】
また、通信Ｉ／Ｆ３１３は、たとえば、ＤＳＲＣ（Ｄｅｄｉｃａｔｅｄ  Ｓｈｏｒｔ  Ｒａｎｇｅ  Ｃｏｍｍｕｎｉｃａｔｉｏｎ）を用いた場合は、路側に設置された無線装置と双方向の無線通信をおこなう車載無線装置によって構成され、交通情報や地図情報などの各種情報を取得する。なお、ＤＳＲＣの具体例としては、ＥＴＣ（ノンストップ自動料金支払いシステム）が挙げられる。
【００５２】
ＧＰＳユニット３１４は、ＧＰＳ衛星からの電波を受信し、車両の現在地点を示す情報を出力する。ＧＰＳユニット３１４の出力情報は、後述する各種センサ３１５の出力値とともに、ＣＰＵ３０１による車両の現在地点の算出に際して利用される。現在地点を示す情報は、たとえば緯度・経度、高度などの、地図データ上の１点を特定する情報である。
【００５３】
各種センサ３１５は、車速センサ、加速度センサ、角速度センサなどの、車両の位置や挙動を判断することが可能な情報を出力する。各種センサ３１５の出力値は、ＣＰＵ３０１による車両の現在地点の算出や、速度や方位の変化量の測定などに用いられる。
【００５４】
図１に示した情報通知装置１００が備える格納部１０１と、取得部１０２と、通知制御部１０３と、通知部１０４と、駐車検出部１０５と、格納制御部１０６と、滞在検出部１０７と、記録部１０８と、判別部１０９と、受付部１１０とは、図３に示したナビゲーション装置３００におけるＲＯＭ３０２、ＲＡＭ３０３、磁気ディスク３０５、光ディスク３０７などに記録されたプログラムやデータを用いて、ＣＰＵ３０１が所定のプログラムを実行し、ナビゲーション装置３００における各部を制御することによってその機能を実現する。
【００５５】
すなわち、本実施例のナビゲーション装置３００は、ナビゲーション装置３００における記録媒体としてのＲＯＭ３０２に記録されている情報通知プログラムを実行することにより、図１に示した情報通知装置１００が備える機能を、図２に示した情報通知処理手順で実行することができる。
【００５６】
（ナビゲーション装置がおこなう情報通知処理の一例）
つぎに、図４を用いて、本実施例にかかるナビゲーション装置３００がおこなう情報通知処理の一例について説明する。図４は、本実施例にかかるナビゲーション装置３００がおこなう情報通知処理の一例を示すフローチャートである。
【００５７】
図４において、ナビゲーション装置３００は、施設の広告情報を取得したか否かを判断する（ステップＳ４０１）。ステップＳ４０１において、施設の広告情報を取得するまで待機状態にある（ステップＳ４０１：Ｎｏのループ）。ステップＳ４０１において、施設の広告情報を取得すると（ステップＳ４０１：Ｙｅｓ）、取得した広告情報に対応する施設が除外対象のジャンルとして指定されているか否かを判断する（ステップＳ４０２）。
【００５８】
ステップＳ４０２において、広告情報に対応する施設が除外対象のジャンルとして指定されていると判断した場合（ステップＳ４０２：Ｙｅｓ）、広告情報に対応する施設の利用履歴情報があるか否かを判断する（ステップＳ４０３）。ステップＳ４０３において、広告情報に対応する施設の利用履歴情報があると判断した場合（ステップＳ４０３：Ｙｅｓ）、所定期間より前の利用履歴情報か否かを判断する（ステップＳ４０４）。なお、所定期間は、たとえば、１週間、１ヶ月といった期間である。所定期間より前とは、たとえば、所定期間が１週間の場合は１週間より前の期間であり、また、所定期間が１ヶ月の場合は１ヶ月より前の期間である。
【００５９】
ステップＳ４０４において、所定期間より前の利用履歴情報ではないと判断した場合（ステップＳ４０４：Ｎｏ）、言い換えれば、最近の利用履歴情報であると判断した場合、広告情報を除外した履歴（以下、「除外履歴」という）があるか否かを判断する（ステップＳ４０５）。ステップＳ４０５において、広告情報の除外履歴があると判断した場合（ステップＳ４０５：Ｙｅｓ）、たとえば、除外履歴のある広告情報と取得した広告情報との同一性を比較することにより、広告情報が更新されているか否かを判断する（ステップＳ４０６）。
【００６０】
ステップＳ４０６において、広告情報が更新されていないと判断した場合（ステップＳ４０６：Ｎｏ）、取得した広告情報を除外する制御をおこない（ステップＳ４０７）、ステップＳ４０１に移行する。一方、ステップＳ４０５において、広告情報の除外履歴がないと判断した場合（ステップＳ４０５：Ｎｏ）、取得した広告情報を除外履歴として記録し（ステップＳ４０８）、ステップＳ４０７に移行する。
【００６１】
また、ステップＳ４０２において、広告情報に対応する施設が除外対象のジャンルとして指定されていないと判断した場合（ステップＳ４０２：Ｎｏ）、取得した広告情報を通知し（ステップＳ４０９）、一連の処理を終了する。なお、ステップＳ４０９の通知における表示画面の詳細については、図７を用いて後述する。
【００６２】
また、ステップＳ４０３において、広告情報に対応する施設の利用履歴情報がないと判断した場合（ステップＳ４０３：Ｎｏ）、ステップＳ４０９に移行する。また、ステップＳ４０４において、所定期間より前の利用履歴情報であると判断した場合（ステップＳ４０４：Ｙｅｓ）、言い換えれば、古い利用履歴情報であると判断した場合、ステップＳ４０９に移行する。また、ステップＳ４０６において、広告情報が更新されていると判断した場合（ステップＳ４０６：Ｙｅｓ）、ステップＳ４０９に移行する。
【００６３】
上述した処理によれば、取得した施設の広告情報のうち、当該施設の利用履歴情報がある場合に、取得した広告情報を除外する制御をおこなうようにしたので、利用者が利用した施設の広告情報を通知されることがない。これにより、利用者に対して、不要な情報を通知することがなく、煩わしさを与えることを防止できる。
【００６４】
また、繰り返し広告情報が通知されることによって、広告主の印象が悪くなるといったことを防止できる。さらに、通知される広告情報は利用者が利用したことのない施設であるので、利用者にとって、通知される広告情報は新鮮なものとなり、広告情報の宣伝効果を高めることができる。
【００６５】
（ナビゲーション装置がおこなう利用履歴情報の格納処理の一例）
つぎに、図５を用いて、本実施例にかかるナビゲーション装置３００がおこなう利用履歴情報の格納処理の一例について説明する。図５は、本実施例にかかるナビゲーション装置３００がおこなう利用履歴情報の格納処理の一例を示すフローチャートである。
【００６６】
図５において、ナビゲーション装置３００は、車両が駐車したか否かを判断する（ステップＳ５０１）。ステップＳ５０１において、車両が駐車するまで待機状態にある（ステップＳ５０１：Ｎｏのループ）。ステップＳ５０１において、車両が駐車すると（ステップＳ５０１：Ｙｅｓ）、駐車位置に関連付けられた施設があるか否かを判断する（ステップＳ５０２）。
【００６７】
ステップＳ５０２において、駐車位置に関連付けられた施設があると判断した場合（ステップＳ５０２：Ｙｅｓ）、当該施設を利用した施設として格納し（ステップＳ５０３）、一連の処理を終了する。一方、ステップＳ５０２において、駐車位置に関連付けられた施設がないと判断した場合（ステップＳ５０２：Ｎｏ）、一連の処理を終了する。
【００６８】
上述した処理によれば、車両の駐車が検出された際に、駐車位置に関連付けられた施設を、利用した施設として格納するようにしたので、移動体の駐車を施設の利用とみなし、当該施設の利用履歴情報として格納することができる。
【００６９】
（ナビゲーション装置がおこなう利用履歴情報の格納処理の一例）
つぎに、図６を用いて、利用者が携行可能なナビゲーション装置３００がおこなう利用履歴情報の格納処理の一例について説明する。図６は、利用者が携行可能なナビゲーション装置３００がおこなう利用履歴情報の格納処理の一例を示すフローチャートである。なお、図６に示すフローチャートは、車両から取り外し可能なポータブル式のナビゲーション装置３００や、携帯電話装置に搭載されるナビゲーション装置を対象とする。
【００７０】
図６において、ナビゲーション装置３００は、現在位置が施設に位置するか否かを判断する（ステップＳ６０１）。ステップＳ６０１において、現在位置が施設に位置するまで待機状態にある（ステップＳ６０１：Ｎｏのループ）。ステップＳ６０１において、現在位置が施設に位置すると（ステップＳ６０１：Ｙｅｓ）、当該施設に所定時間以上滞在したか否かを判断する（ステップＳ６０２）。
【００７１】
ステップＳ６０２において、当該施設に所定時間以上滞在したと判断した場合（ステップＳ６０２：Ｙｅｓ）、当該施設を利用した施設として格納し（ステップＳ６０３）、一連の処理を終了する。一方、ステップＳ６０２において、当該施設に所定時間以上滞在していないと判断した場合（ステップＳ６０２：Ｎｏ）、一連の処理を終了する。
【００７２】
上述した処理によれば、利用者が所定時間以上滞在している施設を利用した施設として格納するようにしたので、利用者の施設での滞在を施設の利用とみなし、当該施設の利用履歴情報として格納することができる。
【００７３】
（ディスプレイに表示される広告情報の一例）
つぎに、図７を用いて、ディスプレイに表示される広告情報の一例について説明する。図７は、ディスプレイに表示される広告情報の一例を示す説明図である。
【００７４】
図７において、ディスプレイ３１２に表示される表示画面７００は、図４のステップＳ４０９において表示される画面である。表示画面７００には、地図画面７１０と、広告画面７２０とが表示されている。地図画面７１０には、現在位置７１１と、施設７１２，７１３と、経路７１４とが表示されている。施設７１２および施設７１３は、ともに系列店であり、施設７１２は、施設名が「○×ＧＳ（ガソリンスタンド）」の店舗を示し、施設７１３は、施設名が「○△ショップ」の店舗を示している。
【００７５】
表示画面７００においては、車両の現在位置７１１が、施設７１２，７１３の近傍に位置した際に、当該施設７１２，７１３の広告情報を表示するようになっている。施設７１２，７１３のいずれについても、広告情報を取得しているものとするが、広告画面７２０には、施設７１２（○×ガソリンスタンド）の広告情報が表示されているものの、施設７１３（○△ショップ）の広告情報は表示されていない。これは、利用者が過去に○△ショップを利用し、○△ショップの利用履歴情報があることにより、○△ショップの広告情報が除外されたためである。なお、○△ショップの利用は、他の支店を利用した場合であっても、利用履歴情報として格納される。
【００７６】
以上説明したように、本実施例にかかるナビゲーション装置３００は、取得した施設の広告情報のうち、当該施設の利用履歴情報がある場合に、取得した広告情報を除外する制御をおこなうようにした。つまり、利用者が利用した施設の広告情報を通知しないようにした。これにより、利用者に対して、不要な情報を通知することがなく、煩わしさを与えることがない。
【００７７】
また、繰り返し広告情報が通知されることによって、広告主の印象が悪くなるといったことを防止できる。さらに、通知される広告情報は利用者が利用したことのない施設であるので、利用者にとって通知される広告情報は新鮮なものとなり、広告情報の宣伝効果を高めることができる。
【００７８】
また、本実施例では、車両の駐車が検出された際に、駐車位置に関連付けられた施設を、利用した施設として格納するようにした。これにより、移動体の駐車を施設の利用とみなし、当該施設の利用履歴情報として格納することができる。
【００７９】
また、本実施例では、利用者の施設での滞在が検出された際に、当該滞在している施設を利用した施設として格納するようにした。これにより、利用者の施設での滞在を施設の利用とみなし、当該施設の利用履歴情報として格納することができる。
【００８０】
また、本実施例では、利用者の施設での滞在時間が所定時間以上の場合に、滞在を検出するようにした。これにより、利用者が施設を利用したということをより確実に検出することができる。
【００８１】
また、本実施例では、取得した広告情報のうち、所定期間より前の利用履歴情報が格納されている場合に、取得した広告情報を通知させるようにした。これにより、利用者が当該施設をしばらく利用していない場合に、当該施設の広告情報を除外対象とはしないようすることができる。したがって、宣伝効果の見込める広告情報を通知することができる。
【００８２】
また、本実施例では、除外された広告情報を記録し、記録した広告情報と、取得した広告情報とを基に、取得した広告情報が更新されたものか否かを判別するようにし、更新されたものと判別した場合に、取得した広告情報を通知させるようにした。これにより、広告情報が更新された場合に、つまり、広告情報が新しい場合に、除外対象とせずに、当該広告情報を通知させることができる。したがって、宣伝効果の見込める広告情報を通知することができる。
【００８３】
また、本実施例では、広告情報を除外する施設のジャンルの入力を受け付けるようにし、受け付けたジャンルに応じて、施設の広告情報を除外するようにした。これにより、利用者が指定したジャンルの施設に対してのみ、施設の広告情報を除外させることができる。言い換えれば、繰り返し通知される広告情報であっても、利用者が所望する場合には、当該広告情報を通知することができる。
【００８４】
また、本実施例では、広告情報は、系列店の広告情報であるものとした。このように広告情報を系列店の広告情報を対象とすることにより、ある支店を利用した場合には、同じ系列店の広告情報を全て除外することができ、広告情報の除外を効果的におこなうことができる。特に、移動体の位置に対応して広告情報を通知する場合、コンビニエンスストア等、道路沿いに位置する系列店の広告情報が頻繁に通知される傾向にあるため、当該広告情報を有効に除外することができる。
【００８５】
以上説明したように、本発明の情報通知装置、情報通知方法、情報通知プログラム、および記録媒体によれば、利用者に対して、不要な情報を通知することがないばかりか、通知する広告情報の宣伝効果を高めることができる。
【００８６】
なお、本実施例で説明した情報通知方法は、予め用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【符号の説明】
【００８７】
１００  情報通知装置
１０１  格納部
１０２  取得部
１０３  通知制御部
１０４  通知部
１０５  駐車検出部
１０６  格納制御部
１０７  滞在検出部
１０８  記録部
１０９  判別部
１１０  受付部
３００  ナビゲーション装置
【図１】
0005412562.tif 000002
【図２】
0005412562.tif 000003
【図３】
0005412562.tif 000004
【図４】
0005412562.tif 000005
【図５】
0005412562.tif 000006
【図６】
0005412562.tif 000007
【図７】
0005412562.tif 000008